【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1のワイヤレスシステムと通信する複数のユーザ機器UEを識別するステップであって、前記第1のワイヤレスシステムが、前記複数のUEに通信カバレッジを提供する複数のワイヤレスシステムのうちの1つであり、前記複数のワイヤレスシステムが、ワイヤレスローカルエリアネットワーク(WLAN)システムおよびセルラーシステムを含む、識別するステップと、
前記第1のワイヤレスシステムから第2のワイヤレスシステムに切り替えるための前記複数のUEの優先順位を判断するステップと、
前記複数のUEの優先順位に基づいて、前記複数のUEのうちの少なくとも1つのUEを選択して、前記第1のワイヤレスシステムから前記第2のワイヤレスシステムに切り替えるステップと
を有し、
前記複数のワイヤレスシステムが、前記複数のワイヤレスシステムのための少なくとも1つの制御機能を実行するように指定されたスモールセルの一部であり、複数のUEを識別するステップ、切り替えるための前記複数のUEの優先順位を判断するステップ、および少なくとも1つのUEを選択して切り替えるステップが前記スモールセルによって実行される
方法。
【請求項２】
切り替えるための前記複数のUEの優先順位を判断するステップが、各UEが前記第2のワイヤレスシステムに関するサービスを受けることができるかどうかに基づいて、前記第1のワイヤレスシステムから前記第2のワイヤレスシステムに切り替えるための前記複数のUEの各々の優先順位を判断するステップを有するか、または、
切り替えるための前記複数のUEの優先順位を判断するステップが、各UEが前記第1のワイヤレスシステムだけに関してサポートされるアクティブなアプリケーションを有するかどうかに基づいて、前記第1のワイヤレスシステムから前記第2のワイヤレスシステムに切り替えるための前記複数のUEの各々の優先順位を判断するステップを有するか、または、
切り替えるための前記複数のUEの優先順位を判断するステップが、各UEによって利用される前記第1のワイヤレスシステムのリソースの量に基づいて、前記第1のワイヤレスシステムから前記第2のワイヤレスシステムに切り替えるための前記複数のUEの各々の優先順位を判断するステップを有する、
請求項1に記載の方法。
【請求項３】
切り替えるための前記複数のUEの優先順位を判断するステップが、各UEの送信バッファサイズ、または受信バッファサイズ、または前記送信バッファサイズおよび前記受信バッファサイズの両方に基づいて、前記第1のワイヤレスシステムから前記第2のワイヤレスシステムに切り替えるための前記複数のUEの各々の優先順位を判断するステップを有するか、または、
切り替えるための前記複数のUEの優先順位を判断するステップが、各UEがアクティブなリアルタイムアプリケーションを有するかどうかに基づいて、前記第1のワイヤレスシステムから前記第2のワイヤレスシステムに切り替えるための前記複数のUEの各々の優先順位を判断するステップを有するか、または、
切り替えるための前記複数のUEの優先順位を判断するステップが、前記第1のワイヤレスシステム、または前記第2のワイヤレスシステム、または両方に関する各UEに対するサービス料金に基づいて、前記第1のワイヤレスシステムから前記第2のワイヤレスシステムに切り替えるための前記複数のUEの各々の優先順位を判断するステップを有する、
請求項1に記載の方法。
【請求項４】
切り替えるための前記複数のUEの優先順位を判断するステップが、前記第1のワイヤレスシステムに関する各UEの能力に基づいて、前記第1のワイヤレスシステムから前記第2のワイヤレスシステムに切り替えるための前記複数のUEの各々の優先順位を判断するステップを有するか、または、
切り替えるための前記複数のUEの優先順位を判断するステップが、前記第2のワイヤレスシステムに関する各UEの能力に基づいて、前記第1のワイヤレスシステムから前記第2のワイヤレスシステムに切り替えるための前記複数のUEの各々の優先順位を判断するステップを有する、
請求項1に記載の方法。
【請求項５】
切り替えるための前記複数のUEの優先順位を判断するステップが、各UEが、ダウンリンク、またはアップリンク、または前記ダウンリンクおよび前記アップリンクの両方においてトラフィックを有するかどうかに基づいて、前記第1のワイヤレスシステムから前記第2のワイヤレスシステムに切り替えるための前記複数のUEの各々の優先順位を判断するステップを有する、請求項1に記載の方法。
【請求項６】
切り替えるための前記複数のUEの優先順位を判断するステップが、各UEのデータ要件、または前記第1のワイヤレスシステムに関する各UEのデータパフォーマンス、または前記第1のワイヤレスシステムまたは前記第2のワイヤレスシステムに関する各UEのチャネル品質、あるいはそれらの組合せに基づいて、前記第1のワイヤレスシステムから前記第2のワイヤレスシステムに切り替えるための前記複数のUEの各々の優先順位を判断するステップを有する、請求項1に記載の方法。
【請求項７】
切り替えるための前記複数のUEの優先順位を判断するステップが、少なくとも1つの因子の関数に基づいて、前記第1のワイヤレスシステムから前記第2のワイヤレスシステムに切り替えるための前記複数のUEの各々の優先順位を判断するステップを有する、請求項1に記載の方法。
【請求項８】
所定の重要性の順序に基づいて配列された因子のセットを判断するステップと、
前記複数のUEの優先順位が一意になるまで、最も重要な因子から始めて、一度に前記因子のセット内の1つの因子を考慮することによって、切り替えるための前記複数のUEの優先順位を判断するステップと
前記複数のUEの優先順位に基づいて、少なくとも1つのUEを選択して切り替えるステップと
をさらに有する、請求項1に記載の方法。
【請求項９】
前記複数のワイヤレスシステムが前記第1のワイヤレスシステムと前記第2のワイヤレスシステムとを含む、請求項1に記載の方法。
【請求項１０】
前記複数のワイヤレスシステムが前記第1のワイヤレスシステムを含み、前記第2のワイヤレスシステムが前記スモールセルの外部にある、請求項1に記載の方法。
【請求項１１】
請求項１乃至１０の何れか１項に記載の方法を実施するように構成された、複数のワイヤレスシステムのための少なくとも1つの制御機能を実行するように指定されたスモールセル。
【請求項１２】
請求項１乃至１０の何れか１項に記載の方法を実施するように構成されたコードを含む、コンピュータ・プログラム。
【請求項１３】
ワイヤレス通信のための方法であって、
ユーザ機器UEによって、複数のワイヤレスシステムのための少なくとも1つの制御機能を実行するように指定されたスモールセルの一部を形成する、前記複数のワイヤレスシステムのうちの第1のワイヤレスシステムと通信するステップであって、前記複数のワイヤレスシステムが、ワイヤレスローカルエリアネットワーク(WLAN)システムおよびセルラーシステムを含む、ステップと、
シグナリングを受信して前記第1のワイヤレスシステムから第2のワイヤレスシステムに前記UEを切り替えるステップであって、前記UEが、前記第1のワイヤレスシステムから前記第2のワイヤレスシステムに切り替えるために考慮された複数のUEのうちの1つであり、前記第1のワイヤレスシステムから前記第2のワイヤレスシステムに切り替えるための優先
順位が割り当てられている、ステップと、
前記UEが、前記シグナリングを受信して前記第2のワイヤレスシステムに切り替えた後、前記第2のワイヤレスシステムと通信するステップと
を有する方法。
【請求項１４】
前記UEが前記第2のワイヤレスシステムに関するサービスを受信することができるかどうか、前記UEが第1のワイヤレスシステムだけに関してサポートされるアクティブなアプリケーションを有するかどうか、前記UEによって利用される前記第1のワイヤレスシステムのリソースの量、前記UEの送信バッファサイズ、前記UEの受信バッファサイズ、前記UEがアクティブなリアルタイムアプリケーションを有するかどうか、前記第1のワイヤレスシステムまたは前記第2のワイヤレスシステムに関する前記UEに対するサービス料金、前記第2のワイヤレスシステムに関する前記UEの能力、前記UEがダウンリンク、またはアップリンク、または両方においてトラフィックを有するかどうか、前記ダウンリンクおよび前記アップリンクの各々における前記UEに関するトラフィックの量、前記UEのデータ要件、前記第1のワイヤレスシステムに関する前記UEのデータパフォーマンス、または、前記第1のワイヤレスシステムまたは前記第2のワイヤレスシステムに関するチャネル状態のうちの少なくとも1つに基づいて、切り替えるための前記優先順位が前記UEに割り当てられる、請求項13に記載の方法。